(57)【要約】【課題】従来の髪留め具は、装飾品としてデザイン性を重視することで、髪留め具の素材がデザイン性の良い、樹脂やアクリル等の剛性素材で形成されている。そのため、長時間使用すると頭部に押圧され、痛みを生じ、また、髪留め具が滑り落ちやすい等の問題があった。装着時の不快感を軽減し、１つの髪留め具で、デザイン性と機能性を兼ね備えた二重構造の髪留め具を提供する。【解決手段】髪留め具は、剛性を有する一対の髪挟持板を備え、開閉可能に構成されており、閉じる方向に付勢する付勢手段を備えた髪留め本体と、髪挟持板の内側に接合され、髪と接触する柔軟材よりなる接触片を備えた構成である。また、接触片の先端部に櫛型に複数分岐し、髪留め具本体が閉じた状態で、互いに交差する交差部が設けられ、交差部の形状が、頭の形状に沿うよう構成し、さらに、接触片の内側に、束ねた髪に入り込む複数の棒状突起が設けられた、二重構造の髪留め具。【選択図】図１
2019122601.tif 000002
【特許請求の範囲】
【請求項１】
剛性を有する一対の髪挟持板を備え、開閉可能に構成されるとともに、閉じる方向に付勢する付勢手段を備えた髪留め本体と、上記髪挟持板の内側に接合され、髪に接触する柔軟材よりなる接触片を備えた髪留め具。
【請求項２】
接触片の先端部に櫛型に複数分岐し、上記本体が閉じた状態で互いに交差する交差部が設けられ、上記交差部の形状が、頭の形状に沿うように構成したことを特徴とする請求項１記載の髪留め具。
【請求項３】
接触片の内側に、束ねた髪に入り込む、複数の棒状突起が設けられている請求項１記載の留め具。
【発明の詳細な説明】
【技術分野】
【０００１】
本発明は、髪留め具に関するものである。        
【背景技術】
【０００２】
従来、頭髪を束ねる際、ヘアゴム、ヘアークリップなどの髪留め具で、髪を挟み留める方法が一般的である（特許文献１参照）。
【先行技術文献】
【特許文献】
【０００３】
【特許文献１】実登３１８１９１１号公報
【発明の概要】
【発明が解決しようとする課題】
【０００４】
本来、髪留め具には、２つの機能が必要であり、１つは髪を挟み留める機能、２つ目は頭髪を装飾する装飾品としての機能である。
【０００５】
しかし、従来の髪留め具は、装飾品として、デザイン性を重視する傾向が強いため、髪留め具全体の素材を、見栄えのよい樹脂やアクリル、プラスチック等、１つの剛性素材を使用して構成されている。
【０００６】
そのため、髪留め具を長時間使用すると、頭部に押圧され痛みを生じ、装着時の付け心地や使用感が悪い。
【０００７】
また、髪を挟持する際、樹脂やアクリル、プラスチック素材等は滑りやすく、滑り落ちずに、しっかりと頭髪を結束するこができない。
本発明は、以上のような問題点をなくすためになされたものである。
【課題を解決するための手段】
【０００８】
請求項１の発明は、剛性を有する一対の髪挟持板を備え、開閉可能に構成されており、閉じる方向に付勢する付勢手段を備えた髪留め具本体の内側に柔軟材よりなる接触片を接合した構成である。
【０００９】
接触片の先端部に櫛型に複数分岐し、髪留め具本体が閉じた状態で、互いに交差する交差部が設けられ、交差部の形状が、頭の形状に沿うように構成したものである。
【００１０】
また、接触片の内側に、束ねた髪に入り込む、複数の棒状突起が設けられている。
【発明の効果】
【００１１】
髪留め具を、髪挟持板と髪と接触する接触片の二重構造とし、頭髪と接触する接触片を、伸張性やクッション性、弾力性のあるシリンコン素材やシリコンゴム素等の柔軟材で形成することで、デザイン性を兼ね備えるとともに、装着時の滑り止め防止効果が向上する。
【００１２】
また、頭髪に接触する接触片は、素材が柔らかく、また、先端部が櫛型に分岐した交差部の形状が、頭の形状に沿うように構成されているため、髪を挟持した際、頭にフィットし、頭部押圧による痛みや不快感を軽減でき、装着時の付け心地を改善できる。
【００１３】
さらに、髪挟持板にはデザイン性の高い樹脂やアクリルなどのプラスチック素材、アセテート素材等の剛性素材を使用することで、１つの髪留め具で、デザイン性と機能性を兼ね備えることができる。
【図面の簡単な説明】
【００１４】
【図１】本発明の実施形態を示す、髪留め具の斜視図である。
【図２】同実施形態を示す、髪留め具の正面図である。
【図３】同実施形態を示す、髪留め具の片方の分解斜視図である。
【図４】同実施形態を示す、髪留め具の別の片方の分解斜視図である。
【図５】同実施形態を示す正面図で、髪留め具が互いに開いた状態を示す図           である。
【発明を実施するための形態】
【００１５】
以下、本発明を実施するための形態について、図を用いて説明する。
図１，図２において、５A,５Bは髪挟持板であり、それぞれの一端側に把持部
１A,１Bが設けられている。把持部１Aの内側に軸受部６A，６Bが突設され、これらの軸受部６A，６Bを接合させている。同様に、把持部１Bの内側に、軸受部６C,６Dが突設され、これらの軸受部６C，６Dを接合させている。回動軸８とコイルばね９は、軸受部６A，６Bに開設された孔部７A，７Bに、同様に、軸受部６C，６Dに開設された孔部７C,７Dに、挿通して固定させることにより連結するよう構成されている。髪挟持板５Aの内側に接触片４Aと、同様に、髪挟持板５Bの内側に接触片４Bを、それぞれ接着剤等で接合し、二重構造としている。接触片４Aの一端側は、弧状に湾曲して延び、先端部が櫛型に分岐した交差部２Aが設けられ、同様に、 接触片４Bの一端側は、弧状に湾曲して延び、先端部が櫛型に分岐した交差部２Bが設けられている。
【００１６】
コイルばね９は、両端部が延設され、延設部が髪挟持板５A，５B一端側に設けられた把持部１A,１Bを互いに拡開方向へ、即ち、交差部２A,２Bを閉塞方向に付勢するように構成されている。
【００１７】
図３,図４は、一対の髪挟持板５A，５Bを、それぞれ分離した状態を示すものであり、一対の接触片４A,４Bの内側に、それぞれ設けられた複数の棒状突起
３A,３Bは、接触片４A,４Bそれぞれの内側に沿って上下２列櫛状に設けられ、交差部２A,２Bが交差時に、先端部が互いに突き当たることで、係止するよう形成され、さらに、接触片を閉じた際、交差部２A，２Bの形状が図２のように、頭部の形状に沿うように構成されている。
【００１８】
本実施形態の髪留め具を使用する場合、図５で示すように、把持部１A,１Bを指で摘み、コイルばね９の付勢力に抗して、互いに接近させる。その結果、接触片４A,４Bは拡開するため、束ねた髪の毛を接触片４A,４Bの間に挟み、指を把持部１A,１Bから外すことにより、髪の毛に固定することができる。
【００１９】
このようにして、本実施形態の髪留め具で髪を固定した場合、交差部２A,２Bは、コイルばね９の付勢力により、束ねられた髪の毛に食い込み、さらに、接触片４A,４Bそれぞれの内部に設けられた、複数の棒状突起３A,３Bが、束ねた髪の内部に入り込むため、緩むことなく固定することができる。
【００２０】
髪を挟持した際、髪留め具内部の接触片を、伸張性やクッション性、弾力性のあるシリコン素材やシリコンゴム素材等の柔軟材で形成することで、緩むことなく、滑り止め防止効果も期待でき、機能性が向上する。
【００２１】
また、髪留め具を装着する際、交差部が交差時に、頭の形状に沿うように構成することで、頭に沿ってフィットし、さらに、柔らかい素材により、頭部への押圧がなくなり、付け心地や使用感が改善できる。
【００２２】
髪挟持板と接触片を備えた二重構造とすることにより、髪挟持板にはデザイン性の高い樹脂やアクリルなどのプラスチック素材、アセテート素材等の剛性素材を使用することで、１つの髪留め具で、装飾品としての外観のデザイン性と機能性を兼ね備えることができる。
【００２３】
以上の実施形態では、図１で示す髪留め具の形状を用いて例示したが、髪留め具の形状は、あらゆる形状全般が含まれるものとし、これに限定されない。
【符号の説明】
【００２４】
１A    把持部  
１B    把持部
２A    交差部
２B    交差部
３A    棒状突起
３B    棒状突起
４A    接触片
４B    接触片
５A    髪挟持板
５B    髪挟持板
６A    軸受部
６B    軸受部
６C    軸受部
６D    軸受部
７A    孔部
７B    孔部
７C    孔部
７D    孔部
８     回動軸
９     コイルばね
【図１】
2019122601.tif 000003
【図２】
2019122601.tif 000004
【図３】
2019122601.tif 000005
【図４】
2019122601.tif 000006
【図５】
2019122601.tif 000007